(57)【特許請求の範囲】
【請求項１】
（ａ）根元側端部がドア側に固着された本体と、
（ｂ）該本体の先端部に設けられた弾性体と、
（ｃ）該弾性体に設けられた磁石とからなり、
前記弾性体の先端面に穴が形成され、
前記磁石が、前記弾性体の穴の内部であって、前記先端面より奥に収容され、
さらに前記磁石が、前記弾性体の穴内部において、前記弾性体の先端面から穴の奥にかけて前後に移動し得るとともに上下左右に揺動し得るように設けられてなる戸当りであって、前記弾性体の穴の内奥面において、前記磁石を当該穴の奥の方向へ吸引させるための磁性板が設けられてなることを特徴とする戸当り。
【請求項２】
前記磁石が、磁石本体と、該磁石本体を挟持する一対の磁性板とからなる請求項１記載の戸当り。
【請求項３】
前記一対の磁性板の後縁付近において、前記磁石本体より後方に突出する突出部が形成され、該突出部に長孔が形成され、該長孔にはピンが挿入され、該ピンの両端が前記弾性体に固着されてなる請求項１または２記載の戸当り。
【請求項４】
前記一対の磁性板の前縁付近において、当該一対の磁性板の間隔を狭くする方向にそれぞれ爪が突設されてなる請求項３記載の戸当り。
【発明の詳細な説明】
【０００１】
【発明の属する技術分野】
本発明は戸当りに関する。さらに詳しくは上下左右に揺動可能な磁石付きの戸当りにおいて、磁石がガタつくことなく、安定してドアを保持することができる戸当りに関する。
【０００２】
【従来の技術】
従来より、建物などのドアを開けた位置に保っておくために、図７〜８に示されるように、磁石を有する戸当りが用いられている。
【０００３】
図７において、４１は戸当りであり、ドアＡに固着される本体４２と壁Ｂに固着される受体４３とからなる。
【０００４】
本体４２は、図８に示されるように、ほぼＳ字状に湾曲した板材であり、その先端部には２個のピン４４が座金４５を通して植設されている。４６は２枚の保持板で、その基部には孔４７が穿孔されており、その孔４７に前記ピン４４を通して、保持板４６が本体４２の先端に取り付けられる。そして、２枚の保持板４６のあいだに磁石４８が挟まれ、保持板４６の外周に角筒状のカバー４９（図７参照）をかぶせて、磁石４８が離脱しないように保持されている。この保持板４６と座金４５とのあいだには若干の空間が設けられており、保持板４６に挟まれた磁石４８が本体４２の先端で少し上下左右に揺動し得るようにしている。
【０００５】
本体４２の後端には、ネジを通すための２個の孔５２、５３が穿孔されている。５４は座板であって、前記孔５２に嵌められた筒部５５を有している。また、その先端は直角に折り曲げられ当接部５７を形成している。
【０００６】
従来の戸当りでは、磁石４８が本体４２先端で揺動するように遊びをもっているので、本体４２が受体４３に対して正確に直角方向から接近しなくても、確実に吸着することができる。
【０００７】
【発明が解決しようとする課題】
しかし、従来の戸当りは、磁石４８が受体４３直角方向からずれた角度で当接したときにわずかでもガタが生じれば、ドアの保持状態が不安定になる。その場合、洗濯機や自動車などから発生する振動、または風の影響でドアが振動するという問題がある。
【０００８】
本発明はかかる問題を解消するためになされたものであり、上下左右に揺動可能な磁石付きの戸当りにおいて、磁石がガタつくことなく、安定してドアを保持することができる戸当りを提供することを目的とする。
【０００９】
【課題を解決するための手段】
本発明の戸当りは、（ａ）根元側端部がドア側に固着された本体と、
（ｂ）該本体の先端部に設けられた弾性体と、
（ｃ）該弾性体に設けられた磁石とからなり、
前記弾性体の先端面に穴が形成され、
前記磁石が、前記弾性体の穴の内部であって、前記先端面より奥に収容され、
さらに前記磁石が、前記弾性体の穴内部において、前記弾性体の前後に移動し得るとともに上下左右に揺動し得るように設けられ、前記弾性体の穴の内奥面において、前記磁石を当該穴の奥の方向へ吸引させるための磁性板が設けられてなることを特徴とする。
【００１０】
本発明の戸当りは、（ａ）根元側端部がドア側に固着された本体と、
（ｂ）該本体の先端部に設けられた弾性体と、
（ｃ）該弾性体に設けられた磁石とからなり、
前記弾性体の先端面に穴が形成され、
前記磁石が、前記弾性体の穴の内部であって、前記先端面より奥に収容され、
さらに前記磁石が、前記弾性体の穴内部において、前記弾性体の先端面から穴の奥にかけて前後に移動し得るとともに上下左右に揺動し得るように設けられ、前記弾性体の穴の内奥面において、前記磁石を当該穴の奥の方向へ吸引させるための磁性板が設けられてなることを特徴とする。
【００１１】
前記磁石が、磁石本体と、該磁石本体を挟持する一対の磁性板とからなるのが好ましい。
【００１２】
前記一対の磁性板の後縁付近において、前記磁石本体より後方に突出する突出部が形成され、該突出部に長孔が形成され、該長孔にはピンが挿入され、該ピンの両端が前記弾性体に固着されてなるのが好ましい。
【００１３】
前記一対の磁性板の前縁付近において、当該一対の磁性板の間隔を狭くする方向にそれぞれ爪が突設されてなるのが好ましい。
【００１４】
【発明の実施の形態】
つぎに図面を参照しながら本発明の戸当りをさらに詳細に説明する。図１は本発明の戸当りの一実施の形態を示す戸当りをドアに取り付けた状態を示す概略説明図、図２は図１の戸当りの分解斜視説明図、図３は図１の戸当り内部の磁石の前後方向の移動を示す弾性体付近の拡大断面図、図４は図１の戸当り内部の磁石の上下左右方向の揺動を示す磁石の斜視説明図、図５は本発明の戸当りの他の実施の形態を示す戸当りをドアに取り付けた状態を示す概略説明図および図６は図５の戸当りの分解斜視説明図である。
【００１５】
図１〜２に示される戸当りは、根元側端部１ａがドアＡに固着された本体１と、本体１の先端部１ｂに設けられた弾性体２と、弾性体２に設けられた磁石３と、壁Ｂに固着された磁性体からなる受体４とから構成されている。
【００１６】
本体１は、金属製円筒で作製され、根元側端部１ａ近傍の内壁面にめねじ部１ｃが形成され、該めねじ部１ｃに台座５の周壁に形成されたおねじ部５ａが螺合されている。台座５には、ドアＡに仮止めするための針部５ｂおよび木ネジ１５を挿入するための貫通孔５ｃが形成されている。また、先端部１ｂ近傍の側面には、一対の貫通孔１ｄが穿設され、この一対の貫通孔１ｄには弾性体２を係止するためのピン６の両端が嵌合されている。
【００１７】
弾性体２は、先端面２ａに磁石３を収容するための略矩形断面を呈する穴７が形成されている。弾性体２における本体１に差し込まれる脚部２ｂには前記ピン６が挿入される貫通孔２ｃが形成されている。また、弾性体２の頭部２ｄの側面には穴７に通じる一対の貫通孔２ｅには、磁石３を係止するためのピン８の両端が嵌合されている。穴７の断面形状は、略矩形に限定されるものではなく、たとえば円形や多角形であってもよい。
【００１８】
磁石３は、外形の大きさが弾性体２の穴７の大きさより若干小さいものが用いられる。それにより、磁石３は、弾性体２の穴７の内部であって先端面２ａより奥に位置するように収容され、弾性体２の軸方向に沿って前後に移動（図３参照）し得るとともに上下左右に揺動（図４参照）し得るように設けられている。
【００１９】
図１に示されるように、ドアＡを全開したとき、図３（ｂ）に示されるように、弾性体２が受体４に衝突し、それと同時または少し遅れて磁石３が受体４に吸着する。このとき、受体４は常に磁石３だけでなく、磁性体２に接触しているが、一方、弾性体２も常に受体４に接触しているので、受体４と磁石３とのあいだのガタは弾性体２によって吸収される。その結果、ドアＡを安定して全開状態に保持することができ、ドアＡが外力を受けて振動するなどの不具合がなくなる。
【００２０】
図２に示される本実施の形態の磁石３は、磁石本体９と、該磁石本体９を挟持する一対の磁性板１０とからなり、磁性板１０の前面１０ａに前記受体４が吸着できるようになっている。磁石本体９が磁性板１０を介して吸着することにより、磁石本体９を受体４に衝突して破損することを防ぎ、しかも磁力線を前面１０ａから集中して放射させることにより、受体４に対する吸着力を強くすることができる。
【００２１】
また、本実施の形態では、図２に示されるように、弾性体２の穴７の内奥面において、磁石３を穴７の奥の方向へ吸引させるための磁性板１１がネジや接着剤などによって固着されている。磁性板１１の材質および大きさは、磁石３によって磁性板１１を吸着する力が受体４を吸着する力より若干小さくなるように設定される。そのため、図１に示されるドアＡが受体４から離れているときには、図３（ａ）に示されるように磁石３は磁性板１１に吸引されて穴７の奥に引っ込んで保護されている。一方、ドアＡが受体４に近づいたとき、図３（ｂ）に示されるように、磁石３は受体４に引き寄せられて弾性体２の先端面２ａまで移動したのち受体４に吸着することができる。したがって、受体４は、まず弾性体２の先端面２ａに当接し、これとほぼ同時に磁石３に吸着するので、ドアＡを保持する際に発生する音を大きく低減させることができる。
【００２２】
本実施の形態の磁石３は、図２〜４に示されるように、一対の磁性板１０の後縁付近において、磁石本体９より後方に突出する突出部１２が形成され、突出部１２には弾性体２の軸方向に沿って長孔１３が形成されている。長孔１３には、弾性体２に両端固定された前記ピン８が挿入されている。したがって、磁石３は、図３〜４に示されるように、長孔１３に沿ってスムーズに前後移動できるとともにピン８まわりにスムーズに上下左右に揺動できるようになっている。なお、長孔に代えて丸孔を採用することもできる。
【００２３】
また、本実施の形態の磁石３は、図２に示されるように、一対の磁性板１０の前縁付近において、一対の磁性板１０の間隔を狭くする方向にそれぞれ爪１４が設けられているため、磁石本体９が一対の磁性板１０の前面１０ａより前に突出することがなく、確実に磁石本体９を受体４から離間させることができる。
【００２４】
また、本発明の戸当りの他の実施の形態として、さらに構成が簡単になるように、図５〜６に示されるように、本体２１として、ほぼＳ字状に湾曲した板材を採用してもよい。以下、さらに詳細に説明する。
【００２５】
図５〜６に示される戸当り２１は、根元側端部がドアＡに固着された本体２２と、本体２２の先端部に設けられた弾性体２３と、弾性体２３に設けられた磁石２５と、壁Ｂに固着された磁性体からなる受体２４とから構成されている。
【００２６】
本体２２は、ほぼＳ字状に湾曲した金属製板材からなり、先端部近傍には、貫通孔２２ａが穿設され、この貫通孔２２ａには弾性体２３を係止するためのピン３２が挿入されている。
【００２７】
さらに、本体２２の後端には、ネジを通すための２個の孔２２ｂ、２２ｃが穿設されている。３３は座板であって、前記孔２２ｂに嵌められる筒部３３ａと、前記孔２２ｃに対応する位置に形成された長孔３３ｂを有している。また、その先端は直角に折り曲げられ、、当接部３３ｃを形成している。この本体２２は、座板３３の当接部３３ｃを前記ドアＡの角部に当てて、筒部３３ａに本体２２の孔２２ｂを差し込み、本体２２の取付角度を調整したうえで、孔２２ｂ、２２ｃにネジを挿通して、ドアＡに固定される。
【００２８】
弾性体２３は、先端面２３ｃに磁石２５を収容するための略矩形断面を呈する穴３０が形成されている。弾性体２３における本体２２に差し込まれる後端２３ｄには、前記本体２２の外形の大きさとほぼ同じ大きさの穴２３ｅが形成されている。また、弾性体２３の上下面には、貫通孔２３ａ、２３ｂが穿設されている。貫通孔２３ａには、磁石２５を係止するためのピン３１が嵌合され、貫通孔２３ｂには、本体２２を係止するためのピン３２が嵌合される。
【００２９】
磁石２５は、外形の大きさが弾性体２３の穴３０の大きさより若干小さいものが用いられる。それにより、磁石２５は、弾性体２３の穴３０の内部であって先端面２３ｃより奥に位置するように収容され、弾性体２３の軸方向に沿って前後に移動し得るとともに上下左右に揺動し得るように設けられている。したがって、前記図１〜２の戸当りと同様に、ドアＡを安定して全開状態に保持することができ、ドアＡが外力を受けて振動するなどの不具合がなくなる。
【００３０】
また、図６に示される磁石２５は、磁石本体２６と、該磁石本体２６を上下から挟持する一対の磁性板２７とからなる。これら一対の磁性板２７の後縁付近において、磁石本体２６より後方に突出する突出部２８が形成され、突出部２８には前記ピン３１の直径よりも若干大きい貫通孔２９が形成されている。
【００３１】
以上の実施の形態では、壁Ｂに磁性体からなる受体４、２４が固着された例をあげて説明したが、本発明はこれに限定されるものではなく、壁Ｂそのものが磁性体であったり、壁の代わりに磁性体からなる棚などに戸当りを当接させるなどの場合には受体を省略してもよい。
【００３２】
【発明の効果】
本発明によれば、上下左右に揺動可能な磁石付きの戸当りにおいて、磁石がガタつくことなく、安定してドアを保持することができる。したがって、ドアを全開に固定したときに外力を受けて振動するなどの不具合が解消される。
【図面の簡単な説明】
【図１】本発明の戸当りの一実施の形態を示す戸当りをドアに取り付けた状態を示す概略説明図である。
【図２】図１の戸当りの分解斜視説明図である。
【図３】図１の戸当り内部の磁石の前後方向の移動を示す弾性体付近の拡大断面図である。
【図４】図１の戸当り内部の磁石の上下左右方向の揺動を示す磁石の斜視説明図である。
【図５】本発明の戸当りの他の実施の形態を示す戸当りをドアに取り付けた状態を示す概略説明図である。
【図６】図５の戸当りの分解斜視説明図である。
【図７】従来の戸当りをドアに取り付けた状態を示す概略図である。
【図８】図７の戸当りの分解斜視図である。
【符号の説明】
１、２２  本体
２、２３  弾性体
３、２５  磁石
７、３０  穴
【図１】
0004295891.tif 000002
【図２】
0004295891.tif 000003
【図３】
0004295891.tif 000004
【図４】
0004295891.tif 000005
【図５】
0004295891.tif 000006
【図６】
0004295891.tif 000007
【図７】
0004295891.tif 000008
【図８】
0004295891.tif 000009